(57)【要約】【課題】  新しく音声データを記憶してから一度目の再生時は、この新しく記憶した音声データを最初に再生するが、通常の再生時は、任意の順序で音声データを再生することができるデータ処理装置及びその制御方法を提供する。【解決手段】  データを記憶する記憶部を備え、前記記憶部に記憶されているデータを再生処理するデータ処理装置において、前記記憶部に記憶されているデータを再生処理する場合に、前記記憶部に未だ再生処理されていない新たなデータである新規データが記憶されているときに、当該新規データを最初に再生処理する。【選択図】      図２
2006252728.tif 000002
【特許請求の範囲】
【請求項１】
データを記憶する記憶部を備え、前記記憶部に記憶されているデータを再生処理するデータ処理装置において、
前記記憶部に記憶されているデータを再生処理する場合に、前記記憶部に未だ再生処理されていない新たなデータである新規データが記憶されているときに、当該新規データを最初に再生処理することを特徴とするデータ処理装置。
【請求項２】
請求項１記載のデータ処理装置において、
前記新規データが複数存在する場合に、当該新規データを最初に再生処理するに際し、前記新規データを記憶した際の順序あるいは逆の順序で再生することを特徴とするデータ処理装置。
【請求項３】
請求項１または請求項２記載のデータ処理装置において、
前記新規データの最初の再生が完了したか否かを示すフラグを当該新規データに対応づけて設けたことを特徴とするデータ処理装置。
【請求項４】
請求項１または請求項２記載のデータ処理装置において、
前記新規データの再生が完了したか否かの情報を格納するテーブルを有し、
前記データ処理装置は前記テーブルに基づいて、前記新規データの再生を管理することを特徴とするデータ処理装置。
【請求項５】
請求項１ないし請求項４記載のデータ処理装置において、
前記データは、記憶時期に応じてフォルダー単位で管理されており、
前記新規データを含む前記フォルダーが存在するか否かを判別し、前記新規データを含む前記フォルダーが存在する場合に、当該フォルダーに含まれるデータの再生を他のフォルダーに含まれるデータの再生に先立って行うことを特徴とするデータ処理装置。
【請求項６】
請求項５記載のデータ処理装置において、
前記フォルダーに含まれる新規データの再生が完了したか否かの情報を格納するテーブルを有し、
前記データ処理装置は前記テーブルに基づいて、前記フォルダー単位で、前記新規データの再生を管理することを特徴とするデータ処理装置。
【請求項７】
請求項５または請求項６記載のデータ処理装置において、
前記フォルダーに含まれる前記新規データの最初の再生が全て完了した場合にその旨を示すフラグを設けたことを特徴とするデータ処理装置。
【請求項８】
データを記憶する記憶部を備え、前記記憶部に記憶されているデータを再生処理するデータ処理装置を制御する制御方法において、
前記記憶部に記憶されているデータを再生処理する場合に、前記記憶部に未だ再生処理されていない新たなデータである新規データが記憶されているか否かを判断する過程と、
当該新規データを最初に再生処理する過程と、
を備えたことを特徴とする制御方法。
【請求項９】
データを記憶する記憶部を備え、前記記憶部に記憶されているデータを再生処理するデータ処理装置を制御するための制御プログラムにおいて、
前記記憶部に記憶されているデータを再生処理する場合に、前記記憶部に未だ再生処理されていない新たなデータである新規データが記憶されているか否かを判断させ、
当該新規データを最初に再生処理させることを特徴とする制御プログラム。
【請求項１０】
請求項９記載の制御プログラムを記録したことを特徴とするコンピューター読み取り可能な記録媒体。
【発明の詳細な説明】
【技術分野】
【０００１】
本発明は、データを記憶し、再生するデータ処理装置、その制御方法、制御プログラム及び記録媒体に関する。
【背景技術】
【０００２】
従来、音声データを記憶し、この記憶した音声データを再生することで音楽を再生するシステムが知られている。このようなシステムにおいては、音楽を再生するときには、記憶した順序で音声データを再生する。
【０００３】
ところが、ユーザーが好みの曲の音声データを集めたり、新しい曲の音声データを集めたりしてオリジナルのＭＤを作成し、新たに記憶した音声データを早く聞きたい場合等に、記憶した順序で音声データを再生することは、必ずしも好ましいとは言えない。
【０００４】
そこで、新たな音声データを記憶し、再生するときには、記憶した順序と逆の順序で音声データを再生するデータ処理装置が知られている（例えば、参考文献１参照）。
【特許文献１】特開平１１−３９８４４号公報
【発明の開示】
【発明が解決しようとする課題】
【０００５】
ところで、新たに音声データを記憶した場合には、ユーザーがこの新たな音声データが正しく記憶されているか否かを確認する場合や、早く音声データに基づく音声を聞きたい場合等の理由から、記憶した新たな音声データを最初に再生したいという要望がある。
【０００６】
しかしながら、上記従来の構成技術にあっては、新たに音声データを記憶してから最初に音声データを再生するときには、新たに記憶した音声データが元々記憶されていた音声データに先立って再生されるが、その後も常に記憶した順序と逆の順序で音声データは再生されてしまう。これによりユーザーは、音楽データが常に記憶された順序と逆の順序で再生されることに違和感を覚えてしまうことが考えられる。
【０００７】
本発明は、上述した事情に鑑みてなされたものであり、新しく音声データを記憶してから一度目の再生時は、この新しく記憶した音声データを最初に再生するが、通常の再生時は、任意の順序で音声データを再生することができるデータ処理装置及びその制御方法を提供することを目的としている。
【課題を解決するための手段】
【０００８】
本発明は、データを記憶する記憶部を備え、前記記憶部に記憶されているデータを再生処理するデータ処理装置において、前記記憶部に記憶されているデータを再生処理する場合に、前記記憶部に未だ再生処理されていない新たなデータである新規データが記憶されているときに、当該新規データを最初に再生処理することを特徴とする。
【０００９】
この場合において、前記新規データが複数存在する場合に、当該新規データを最初に再生処理するに際し、前記新規データを記憶した際の順序あるいは逆の順序で再生してもよい。前記新規データの最初の再生が完了したか否かを示すフラグを当該新規データに対応づけて設けてもよい。前記新規データの再生が完了したか否かの情報を格納するテーブルを有し、前記データ処理装置は前記テーブルに基づいて、前記新規データの再生を管理してもよい。
【００１０】
また、この場合において、前記データは、記憶時期に応じてフォルダー単位で管理されており、前記新規データを含む前記フォルダーが存在するか否かを判別し、前記新規データを含む前記フォルダーが存在する場合に、当該フォルダーに含まれるデータの再生を他のフォルダーに含まれるデータの再生に先立って行ってもよい。前記フォルダーに含まれる新規データの再生が完了したか否かの情報を格納するテーブルを有し、前記データ処理装置は前記テーブルに基づいて、前記フォルダー単位で、前記新規データの再生を管理してもよい。前記フォルダーに含まれる前記新規データの最初の再生が全て完了した場合にその旨を示すフラグを設けてもよい。
【００１１】
また、本発明は、データを記憶する記憶部を備え、前記記憶部に記憶されているデータを再生処理するデータ処理装置を制御する制御方法において、前記記憶部に記憶されているデータを再生処理する場合に、前記記憶部に未だ再生処理されていない新たなデータである新規データが記憶されているか否かを判断する過程と、当該新規データを最初に再生処理する過程と、を備えたことを特徴とする。
【００１２】
また、本発明は、データを記憶する記憶部を備え、前記記憶部に記憶されているデータを再生処理するデータ処理装置を制御するための制御プログラムにおいて、前記記憶部に記憶されているデータを再生処理する場合に、前記記憶部に未だ再生処理されていない新たなデータである新規データが記憶されているか否かを判断させ、当該新規データを最初に再生処理させることを特徴とする。
【００１３】
また、本発明は、コンピューター読み取り可能な記録媒体において、前記制御プログラムを記録したことを特徴とする。
【発明の効果】
【００１４】
本発明によれば、新しく音声データを記憶してから一度目の再生時は、この新しく記憶した音声データを最初に再生するが、通常の再生時は、任意の順序で音声データを再生することができる。
【発明を実施するための最良の形態】
【００１５】
以下、図面を参照しつつ本発明の実施の形態について説明する。
図１は、本実施形態に係るデータ処理装置１００を示すブロック図である。
このデータ処理装置１００は、自動車等の車両に搭載される車載用データ処理装置であり、音楽機器１、録音制御部４、一時記憶部７、データ圧縮部８、固定記憶部９、音楽再生部１０、操作部１３、主制御部１６、表示部１７を備えている。
【００１６】
音楽機器１は録音の対象となるＣＤ（Compact Disk）２及びラジオ３（ＡＭ／ＦＭ）の再生装置であり、ＣＤ２の音声データを録音するときには、ＣＤ２の音声データは主制御部１６にて直接圧縮されるが、ラジオ３の音声データを録音するときには、主制御部のＤ／Ａ変換回路により、ラジオ３の音声を音声データへと変換された後に圧縮される。
録音制御部４は、現在録音中である音楽機器１がＣＤ２であるかラジオ３であるか等の録音状態を常に取得し続けている録音状態取得部５と、現在の録音状態を最適に行うために、ＣＤ２の音声データの出力速度を算出する出力速度判定部６とで構成されている。
【００１７】
一時記憶部７は、ＤＲＡＭ（Dynamic Random Access Memory）により構成される。一時記憶部７は、音楽機器１から送られてきた、無圧縮状態の各音声データをそれぞれ個別の領域に分けて一時的に保存する。この一時記憶部７に保存された無圧縮状態の音声データは、データ処理装置１００本体に衝撃が加わったことによる、ＣＤ２の音飛びを防止するショックプルーフ再生用として用いると共に、固定記憶部９に記憶するためのデータとして用いられる。
【００１８】
データ圧縮部８は、一時記憶部７から無圧縮状態の音声データを取り出し、ＭＰ３（Moving Picture Experts Group Audio Layer-3）、ＷＭＡ（Windows（登録商標） Media Audio）、ＡＴＲＡＣ３（登録商標）、ＡＡＣ（Advanced Audio Coding）等の圧縮フォーマットに変換する。
固定記憶部９は、圧縮音声データを記憶するフラッシュメモリーである。固定記憶部９に、不揮発性の半導体メモリーであるフラッシュメモリーを使用するため、固定記憶部９にＨＤＤ（Hard Disk Drive）を使用する場合と比較して固定記憶部９を小型にできるため、固定記憶部９のレイアウトの自由度を向上させることができる。本実施形態では、固定記憶部９を用いて音声データを録音、再生するデータ処理装置１００の動作モードを固定記憶部録音／再生モードとする。
【００１９】
音楽再生部１０は、データ復元部１１とスピーカー１２とで構成される。データ復元部１１は、通常の再生時には一時記憶部７から無圧縮状態の音声データを復調して再生させ、圧縮音声データ再生時は固定記憶部９からの圧縮音声データを伸張して再生させる。音声再生部１０は、Ｄ／Ａ変換回路（図示せず）や増幅回路（図示せず）を備え、主制御部１６の制御の下、Ｄ／Ａ変換回路により、デジタル音声信号をアナログデジタル変換してアナログ音声信号を生成し、この音声信号を、増幅回路により増幅してからスピーカー１２に出力する。
【００２０】
操作部１３は、ＤＩＳＫ録音キー１４とＴＲＡＣＫ録音キー１５とを備え、ユーザーはキーを操作することにより録音が可能となる。ＤＩＳＫ録音キー１４を操作した場合にはＣＤ全体の録音が開始し、ＴＲＡＣＫ録音キー１５を操作した場合にはＣＤの指定トラックのみの録音が開始する。
表示部１７はデータ処理装置１００の録音状態や再生状態等の動作状況を表示する表示部であり、液晶ディスプレイにより構成される。
【００２１】
主制御部１６は、ＣＰＵ（Central Processing Unit：図示せず）、ＣＰＵが実行する制御プログラムを格納するＲＯＭ（Read Only memory：図示せず）、各種データを一時的に格納するＲＡＭ（Random Access Memory：図示せず）等を備えている。これにより主制御部１６は、操作部１３からの録音命令、録音制御部４からのＣＤ出力速度の変更命令、音楽機器１への再生命令、音楽再生部１０への再生命令、固定記憶部９への圧縮データの書き込み命令、固定記憶部９への圧縮音声データ読出し命令等の、データ処理装置１００全体を制御するコンピューターとして機能する。
【００２２】
ここで、データ処理装置１００による録音動作について説明する。
先ず、ユーザーは音楽機器１にＣＤ２を装填し、ＤＩＳＫ録音キー１４又はＴＲＡＣＫ録音キー１５のいずれかを選択し操作する。ＤＩＳＫ録音キー１４又はＴＲＡＣＫ録音キー１５が操作されると、主制御部１６は音楽機器１に装填されたＣＤ２の音声データの取り込みを開始し、音楽機器１から送られてきた無圧縮状態のＣＤ２の音声データを、一時的に一時記憶部７に保存する。一時記憶部７に保存された無圧縮状態のＣＤ２の音声データは、データ圧縮部８によって取り出され、圧縮フォーマットに変換される。主制御部１６は、データ圧縮部８によって圧縮フォーマットに変換されたＣＤ２の音声データを固定記憶部９に記憶する。
【００２３】
次に、このデータ処理装置１００による録音後の動作を説明する。
図２は、ＣＤ２の音声データを録音した後に再生を行う際のフローチャートである。
ＣＤ２から固定記憶部９に取り込んだ音声データは、固定記憶部９上に設けられ、それぞれ番号が割り当てられたフォルダー毎に対応付けて記憶される。主制御部１６は、このフォルダーの番号であるフォルダー番号を図３に示すテーブルで管理する。図３では、「フォルダーＡ」とフォルダー番号＝「ｎ」、「フォルダーＢ」とフォルダー番号＝「ｎ−１」、…、「フォルダーＺ」とフォルダー番号＝「１」とがそれぞれ対応付けられていることを示している。
【００２４】
そして、次にデータ処理装置１００が音声データを再生するまでに、新たに記憶された音声データ（新規音声データ）に対応付けられたフォルダーのフォルダー番号を、再生未完了フォルダー番号として、図４に示すテーブルで管理する。図４では、再生未完了フォルダー番号が「ｎ」及び「ｎ−１」のフォルダー、つまり「フォルダーＡ」と「フォルダーＢ」とが新規音声データに対応付けられたフォルダーであることを示している。
【００２５】
また、フォルダーに対応付けられている音声データが複数である場合には、主制御部１６は、フォルダーに対応付けられている音声データ名とその未再生フラグを図５に示すテーブルで管理する。図５は、「フォルダーＢ」に対応付けられた音声データのテーブルであり、「音声データ１」から「音声データｎ」のｎ個の音声データが対応付けられていることを示す。また、未再生フラグが「１」である音声データは未再生であることを示し、未再生フラグが「０」である音声データは再生済みであることを示す。図５では、「音声データ３」、「…」、「音声データｎ−１」、「音声データｎ」の未再生フラグが「１」であることから「音声データ３」、「…」、「音声データｎ−１」、「音声データｎ」の音声データは未再生であることを示す。また、「音声データ１」、「音声データ２」の未再生フラグが「０」であることから「音声データ１」、「音声データ２」の音声データは再生済みであることを示す。
【００２６】
データ処理装置１００はこのようにフォルダーに対応付けられている音声データが未再生であるか否かをフォルダー単位で管理することにより、例えば、音声データを再生し、フォルダーに対応付けられている音声データを全て再生し終わる途中で、音声データの再生を中断した場合であり、次に音声データを再生するときに、前回未再生の音声データから続きを再生することができる。そして、フォルダーに対応付けられた全ての音声データの未再生フラグが「１」となると、再生未完了フォルダー番号のテーブル（図４）からこのフォルダー番号が削除され、再生済みのフォルダーのフォルダー番号として扱われる。
【００２７】
新規音声データの再生順序は通常、再生未完了フォルダーの内、記憶された順序が先である新規音声データに対応付けられたフォルダー程先に再生され、さらに、それぞれのフォルダーに対応付けられている音声データも記憶された順序で再生される。従って、例えば、取り込んだＣＤ２が複数の音声データを記憶したアルバムＣＤであるときに、固定記憶部９に記憶された新規音声データは、ＣＤ２の収録曲の１曲目から最終曲の順序で再生される。しかし、ユーザーは予め設定することにより、この逆の順序あるいは、任意の順序で音声データを再生することもできる。
【００２８】
主制御部１６は、新規音声データに対応付けられているフォルダーの再生未完了フォルダー番号と、再生済み音声データに対応付けられているフォルダーのフォルダー番号とを区別し、フォルダー番号を管理する（ステップＳ１）。
また、追加録音により新規音声データの取り込みがなされた場合には、主制御部１６は新規音声データの録音処理が完了した時点で、新規音声データと対応付けられたフォルダーのフォルダー番号を対応付けた状態で、再度この新規音声データを固定記憶部９に記憶する。
【００２９】
主制御部１６がフォルダー番号の管理を行った後、ユーザーが固定記憶部録音／再生モードで音声データの再生を行うと、主制御部１６は固定記憶部９に記憶された音声データの再生を開始する（ステップＳ２）。
【００３０】
固定記憶部９に記憶された音声データの再生が開始すると、主制御部１６は管理しているフォルダー番号に基づいて、この再生動作が固定記憶部９に新規音声データを取り込んでから最初の再生であるか否かを判断する（ステップＳ３）。
【００３１】
ステップＳ３において、主制御部１６は、再生未完了フォルダー番号のテーブル（図４）に基づいて、この再生動作が固定記憶部９に新規音声データを取り込んでから最初の再生ではないと判断すると（ステップＳ３：ＮＯ）、主制御部１６は固定記憶部９に記憶された音声データを、前回再生したときに再生を中断した位置（ラスト位置）から、記憶された順序で音声データを再生（通常再生）する（ステップＳ４）。
【００３２】
しかし、ステップＳ３において、主制御部１６は、再生未完了フォルダー番号のテーブル（図４）に基づいて、この再生動作が固定記憶部９に新規音声データを取り込んでから最初の再生であると判断すると（ステップＳ３：ＹＥＳ）、主制御部１６は、ステップＳ１において管理したフォルダー番号及びそれぞれの音声データの未再生フラグに基づいて、新規音声データを再生する（ステップＳ５）。
【００３３】
新規音声データ、又は、新規音声データに対応付けられたフォルダーに対応付けられている全ての音声データの再生が終了すると、主制御部１６は、新規音声データを含まないフォルダー（古いフォルダー）を、対応付けられた音声データが記憶された順序で音声データの再生を開始する（ステップＳ６）
【００３４】
以上の処理により、例えば、固定記憶部９に記憶された音声データ及びこの音声データに対応付けられたフォルダーが図３〜５に示す状態であり、データ処理装置１００が音声データの再生処理を行う場合に、主制御部１６は、フォルダー番号＝「ｎ−１」の「フォルダーＢ」に対応付けられた「音声データ３」、…、「音声データｎ―１」、「音声データｎ」の順序で音声データを再生する。「フォルダーＢ」に対応付けられた音声データを再生すると、主制御部１６は、フォルダー番号＝「ｎ」の「フォルダーＡ」に対応付けられた音声データを再生する。「フォルダーＡ」に対応付けられた音声データを再生すると、主制御部１６は、フォルダー番号＝「１」、「２」、…、「ｎ−２」、「ｎ−１」、「ｎ」の順序でフォルダーに対応付けられた音声データを再生（通常再生）する。
【００３５】
本実施形態によれば、新しく音声データを記憶してから一度目の再生時は、新しく記憶した音声データを最初に再生し、その後の通常再生時は、記憶した順序で音声データを再生することができる。これにより、ユーザーがデータ処理装置１００に新たな音声データを記憶させたときに、ユーザーがこの新たな音声データが正しく記憶されているか否かを確認する場合や、早く音声データに基づく音声を聞きたい場合等に、新たに記憶した音声データを最初に再生し、新たに記憶した音声データの全てが一旦再生されると、通常の再生順序に戻り、記憶した順序で全ての音声データを再生する。
【００３６】
以上、一実施形態に基づいて本発明を説明したが、本発明は、これに限定されるものではない。例えば、実施形態ではフォルダー番号で音声データを管理しているが、これに限らず、フォルダーに対応付けられたデータの記憶日時と、データ処理装置１００による音声データの再生日時とを記憶し、記憶日時が前回の再生日時と今回の再生日時との間の期間である音声データを新規音声データと判断することにより、音声データを管理してもよい。実施形態では再生未完了フォルダー番号をテーブル（図４）により管理し、再生未完了フォルダーを判別しているが、これに限らず、フォルダーに対応付けられた音声データのテーブル（図５）と同様に、それぞれのフォルダーにフラグを設けることにより、再生未完了フォルダーを判別してもよい。また、逆に新規音声データを、未再生フラグではなく再生未完了フォルダー番号のテーブル（図４）のように、再生未完了の音声データとして別のテーブルにし、再生未完了の音声データを判別してもよい。
【図面の簡単な説明】
【００３７】
【図１】本実施形態に係るデータ処理装置を示すブロック図である。
【図２】データ処理装置によるＣＤの音声データを録音した後の再生動作を示すフローチャートである。
【図３】フォルダー名とフォルダー番号とを対応付けたテーブルを示す図である。
【図４】再生未完了フォルダーを管理するテーブルを示す図である。
【図５】音声データ名と未再生フラグとを対応付けたテーブルを示す図である。
【符号の説明】
【００３８】
９  固定記憶部（記憶部）
１００  データ処理装置
【図１】
2006252728.tif 000003
【図２】
2006252728.tif 000004
【図３】
2006252728.tif 000005
【図４】
2006252728.tif 000006
【図５】
2006252728.tif 000007